(57)【要約】【課題】様々な商品のコマーシャルビデオを上映する店内や街頭に設置された映像音声表示装置より、さらに詳しい商品情報を入手したいと考えた場合には、視聴者は、ＣＭ内容から商品名、ＵＲＬ等を覚えておくかメモを取り、改めて別の機会にｗｗｗやカタログ等で商品を調査する必要があった。【解決手段】視聴者は、携帯端末からのデータ配信要求受信時に配信データ選択手段６が、映像音声再生コンテンツ選択信号をもとに上映中のコンテンツに関連した配信データを選択し、データ送信手段７が携帯端末へ送信することにより、携帯端末に対して上映中の映像音声コンテンツに関連する適切なデータが送信され、データ表示手段１で視聴できる。【選択図】  図１
2004328109.tif 000002
【特許請求の範囲】
【請求項１】
携帯端末と映像音声表示システムとの間で無線回線を用いて通信を行う情報回収配信システムであり、
前記携帯端末は、
データ配信要求を映像音声表示システムへ送信するデータ配信要求送信手段と、
映像音声表示システムから受信したデータを受信するデータ受信手段と、
前記受信したデータを表示するデータ表示手段と、
を備え、
映像音声表示システムは、
映像音声コンテンツ格納手段と、
映像音声コンテンツの再生管理を行う映像音声コンテンツ再生管理手段と、
映像音声コンテンツの再生を行う映像音声コンテンツ再生手段と、
映像音声コンテンツの表示を行う映像音声コンテンツ表示手段と、
データを格納するデータ格納手段と、
携帯端末から発信されるデータ配信要求を受信するデータ配信要求受信手段と、
前記データ配信要求受信手段が受信したデータ配信要求信号と映像コンテンツ再生管理手段からの現時点でどの再生コンテンツを再生しているかを示す映像音声再生コンテンツ選択信号を元に配信するデータの選択を行う配信データ選択手段と、
前記配信データ選択手段からのデータ選択にしたがって、現在再生中の映像音声再生コンテンツに関連したデータを無線回線を用いて携帯端末に出力するデータ送信手段と、
を備えることを特徴とする情報回収配信システム。
【請求項２】
配信データ選択手段が、現在再生中の映像音声コンテンツの以前に再生を行った複数の映像音声再生コンテンツそれぞれに関連した複数のデータを選択し、データ送信手段が前記複数のデータを送信すること特徴とする請求項１記載の情報回収配信システム。
【請求項３】
データ送信手段が、映像音声再生コンテンツに関連したデータが記述されたＷＷＷのＵＲＬを含み、かつ携帯端末のデータ受信手段が受信したデータに含まれるＷＷＷのＵＲＬ上のＨＴＭＬを受信し表示するＨＴＴＰ送受信手段を具備することを特徴とする請求項１および請求項２記載の情報回収配信システム。
【請求項４】
携帯端末がデータ配信要求と前後して、携帯端末所有者の個人データの配信を行なう個人データ送信手段と、
映像音声コンテンツ再生手段が個人データを受信する個人データ受信手段と、
前記個人データと個人データ配信と前後したデータ配信要求に対応する前記配信データ選択手段からのデータ選択とを関連づけたリクエストデータを生成するリクエストデータ生成手段と、
を具備することを特徴とする、請求項１記載の情報回収配信システム。
【請求項５】
生成されたリクエストデータをネットワーク経由でセンター装置に送信するリクエストデータ送信手段を具備することを特徴とする、請求項４記載の情報回収配信システム。
【請求項６】
映像音声コンテンツ再生管理手段がデータ配信要求受信手段からデータ配信要求の回数を記録し、前記記録結果にもとづいて再生するコンテンツの選択を行うことを特徴とする請求項１記載の情報回収配信システム。
【発明の詳細な説明】
【０００１】
【発明の属する技術分野】
本発明は、街頭や店頭等で商品コマーシャル等のビデオ表示を行なう映像音声表示システムと視聴者の持つ携帯端末とを無線通信でつなぎ、商品情報や個人情報を配布回収を行なう情報回収配信システムに関する。
【０００２】
【従来の技術】
近年、街頭や店頭等で商品コマーシャル等販売促進のビデオを上映する、映像音声表示システムが広く普及しようとしている。
【０００３】
従来の映像音声表示システムは、特開２００２−１６３３４４号公報に記載されている。
【０００４】
図１６は従来の映像音声表示システムの構成を示すものである。
【０００５】
１０１はセンター設備、１０２は映像音声コンテンツ受信手段、１０３は映像音声コンテンツ格納手段、１０４は映像音声コンテンツ再生手段、１０５は映像音声コンテンツ表示手段である。
【０００６】
以上のように構成された、映像音声表示システムについて、以下その動作について説明する。
【０００７】
まず映像音声表示システムでは、映像音声コンテンツ格納手段１０３から格納されているデータを呼び出し、映像音声コンテンツ再生手段１０４で映像信号および音声信号に変換する。映像音声コンテンツ格納手段１０３から読み出されるデータは、ＭＰＥＧ１／２／４等で高能率圧縮符号化された映像音声信号である場合や、ＨＴＭＬ等のＷＷＷ記述用の言語で記載されたもの、あるいはプレーゼンテーションや、描画用等のパーソナルコンピュータ用アプリケーションソフトで作成されたファイルである場合がある。
【０００８】
映像音声コンテンツ再生手段にでは、読み出されるデータがＭＰＥＧデータ等の圧縮映像音声信号である場合には、伸長処理を行ない映像音声信号に変換を行なう。またＨＴＭＬやパーソナルコンピュータ用アプリケーションソフトで作成されたファイルである場合は、ＣＰＵ処理により映像信号と音声信号に変換が行なわれる。
【０００９】
変換が行なわれた信号は、映像音声表示手段１０５で表示が行なわれる。映像音声表示手段１０５はディスプレイである。ＰＣ用ディスプレイである場合やＰＤＰ等の大画面ディスプレイである場合がある。また音声を鳴らすために、スピーカーを塔載している。
【００１０】
一方再生を行なう映像音声コンテンツは、センター設備１０１からインターネット等のネットワークで、映像音声表示システムに配信される。映像音声表示システムでは、映像音声コンテンツ受信手段１０２でコンテンツの受信を行ない、映像音声コンテンツ格納手段に格納を行なう。このことにより、コンテンツの更新を行なうことができる。
【００１１】
【特許文献１】
特開２００２−１６３３４４号公報（段落番号００３９）
【００１２】
【発明が解決しようとする課題】
しかしながら上記の従来例の構成では、視聴者が上映されている内容に興味をもった場合に、さらに詳しい情報を自動的に入手することはできなかった。
【００１３】
たとえば、上映されている映像音声信号が、ある商品に関するコマーシャルビデオであったとする。聴者がその商品等について興味を持ち、さらに詳しい情報を入手したいと考える場合には、コマーシャルビデオの内容を覚えておくか、あるいはその場でメモを取ることを行ない、その内容にしたがって、販売店を訪れてカタログを入手したり、あるいはあらためて自宅のパーソナルコンピュータ等を用いて、ＷＷＷサイトにアクセスする等の手続きが必要であった。この手続きがわずらわしかったり、あるいは視聴者が内容を忘れてしまったりすることにより、商品の販売機会が失われてしまうことがあった。
【００１４】
本発明は上記従来の問題点を解決するもので、視聴者の持つ携帯電話等の携帯端末を用いて、簡便に必要な追加情報を入手記録できるようにするものである。
【００１５】
【課題を解決するための手段】
この目的を達成するために本発明の情報回収配信システムは、携帯端末と映像音声表示システムとの間で無線回線を用いてデータの通信を行う情報回収配信システムであり、
前記携帯端末は、
データ配信要求を映像音声表示システムへ送信するデータ配信要求送信手段と、
映像音声表示システムから受信したデータを受信するデータ受信手段と、
前記受信したデータを表示するデータ表示手段と、
を備え、
映像音声表示システムは、
映像音声コンテンツ格納手段と、
映像音声コンテンツの再生管理を行う映像音声コンテンツ再生管理手段と、
映像音声コンテンツの再生を行う映像音声コンテンツ再生手段と、
映像音声コンテンツの表示を行う映像音声コンテンツ表示手段と、
データを格納するデータ格納手段と、
携帯端末から発信されるデータ配信要求を受信するデータ配信要求受信手段と、
前記データ配信要求受信手段の受信信号と映像コンテンツ再生管理手段からの現時点でどの再生コンテンツを再生しているかを示す映像音声再生コンテンツ選択信号を元に、配信するデータの選択を行う配信データ選択手段と、
前記配信データ選択手段からのデータ選択にしたがって、現在再生中の映像音声再生コンテンツに関連したデータを無線回線を用いて携帯端末に出力するデータ送信手段と、
を備えることを特徴とする。
【００１６】
この構成によって視聴者の持つ携帯電話等の携帯端末を用いて、即時に上映中の映像音声信号に関する追加情報を入手し記録できるようにできる。
【００１７】
【発明の実施の形態】
本発明の請求項１に記載の発明は、
携帯端末と映像音声表示システムとの間で無線回線を用いて、データの通信を行う情報回収配信システムであり、
前記携帯端末は、
データ配信要求を映像音声表示システムへ送信するデータ配信要求送信手段と、
映像音声表示システムから受信したデータを受信するデータ受信手段と、
前記受信したデータを表示するデータ表示手段と、
を備え、
映像音声表示システムは、
映像音声コンテンツ格納手段と、
映像音声コンテンツの再生管理を行う映像音声コンテンツ再生管理手段と、
映像音声コンテンツの再生を行う映像音声コンテンツ再生手段と、
映像音声コンテンツの表示を行う映像音声コンテンツ表示手段と、
データを格納するデータ格納手段と、
携帯端末から発信されるデータ配信要求を受信するデータ配信要求受信手段と、
前記データ配信要求受信手段が受信したデータ配信要求信号と、映像コンテンツ再生管理手段からの現時点でどの再生コンテンツを再生しているかを示す映像音声再生コンテンツ選択信号を元に配信するデータの選択を行う配信データ選択手段と、
前記配信データ選択手段からのデータ選択にしたがって、現在再生中の映像音声再生コンテンツに関連したデータを、無線回線を用いて携帯端末に出力するデータ送信手段と、
を備えることを特徴としたものであり、
携帯端末からのデータ配信要求受信時に配信データ選択手段が、映像音声再生コンテンツ選択信号をもとに上映中のコンテンツに関連した配信データを選択し、データ送信手段が携帯端末へ送信することにより、携帯端末に対して上映中の映像音声コンテンツに関連する適切なデータを送信できるという作用を有する。
【００１８】
請求項２に記載の発明は、
配信データ選択手段が、現在再生中の映像音声コンテンツの以前に再生を行った複数の映像音声再生コンテンツそれぞれに関連した複数のデータを選択し、データ送信手段が前記複数のデータを送信すること特徴とする請求項１記載の情報回収配信システムであり、
情報を入手したいと考えた視聴者が、コンテンツの再生が終了した後に、携帯端末がデータ配信要求を送信した場合でも、必要な配信データを映像音声表示システムから、形態端末に配信できるという作用を有する。
【００１９】
請求項３に記載の発明は、
データ送信手段が、映像音声再生コンテンツに関連したデータが記述されたＷＷＷのＵＲＬを含み、かつ携帯端末のデータ受信手段が受信したデータに含まれるＷＷＷのＵＲＬ上のＨＴＭＬを受信し表示するＨＴＴＰ送受信手段を具備することを特徴とする請求項１および請求項２記載の情報回収配信システムであり、配信データを受信した視聴者がデータに含まれるＵＲＬのＷＷＷサイトに携帯端末のＷＷＷブラウズ機能を用いてアクセスすることにより、より詳細で最新の情報を閲覧できることを可能にするという作用を有する。
【００２０】
請求項４に記載の発明は、
携帯端末がデータ配信要求と前後して、携帯端末所有者の個人データの配信を行なう個人データ送信手段と、
映像音声コンテンツ再生手段が個人データを受信する個人データ受信手段と、
前記個人データと個人データ配信と前後したデータ配信要求に対応する前記配信データ選択手段からのデータ選択とを関連づけたリクエストデータを生成するリクエストデータ生成手段と、
を具備することを特徴とする請求項１記載の情報回収配信システムであり、
携帯端末から個人データを個人データ送信手段から映像音声表示システムの個人データ受信手段に対して送信し、その情報を用いて上映したコンテンツに興味を持つ視聴者に関するリクエストデータを生成するができる。
【００２１】
リクエストデータには、関連商品データに関連づけた個人データが記載された市場調査データとすることができる商品販売者にとっては有益な情報であり、自動的にリクエストデータを生成できるという作用を有する。
【００２２】
請求項５に記載の発明は、
生成されたリクエストデータをインターネット経由でセンター装置に送信するリクエストデータ送信手段を具備することを特徴とする請求項４記載の情報回収配信システムであり、
センター装置へリクエストデータをリクエストデータ送信手段から、センター装置へ送信することにより、情報回収配信システム運用者は遠隔地から最新のリクエストデータを入手できるという作用を有する。
【００２３】
請求項６に記載の発明は、
映像音声コンテンツ再生手段でデータ配信要求受信手段からデータ配信要求の回数を記録し、それにもとづいて再生するコンテンツの選択を行う映像音声コンテンツ再生管理手段を具備することを特徴とする請求項１記載の情報回収配信システムである。
【００２４】
コンテンツ再生管理手段が、リクエスト回数の多い映像音声コンテンツをより多く再生することにより、人気の高い映像音声コンテンツを数多く再生することができるようになり、より効果的な映像音声の表示を行なうことができるという作用を有する。
【００２５】
（実施の形態１）
図１は本発明の情報配信回収システムの、請求項１に記載する、実施形態１の機能ブロック図である。図１の１はデータ表示手段、２はデータ配信要求送信手段、３はデータ受信手段であり、前記の各手段は携帯端末が具備する。また図１の４は映像音声コンテンツ再生管理手段、５はデータ配信要求受信手段、６は配信データ選択手段、７はデータ送信手段、８は映像音声コンテンツ再生手段、９は映像音声コンテンツ格納手段、１０はデータ格納手段、１１は映像音声コンテンツ表示手段でありこれらの手段は、映像音声表示システムに具備される。
【００２６】
図２は本発明の情報配信回収システムの実施形態１におけるデータ配信要求を行なう携帯端末のユーザＩＦ画面のイメージ図である。
【００２７】
図３は本発明の情報配信回収システムの実施形態１における受信データの表示を行なう携帯端末のユーザＩＦ画面のイメージ図である。
【００２８】
図４は本発明の情報配信回収システムの実施形態１の映像音声表示システムの動作を示すタイムチャートである。
【００２９】
図５は本発明の情報配信回収システムの携帯端末のハードウエア構成を示すブロック図である。
【００３０】
実施の形態１の携帯端末は携帯電話あるいはＰＤＡ（Ｐｅｒｓｏｎａｌ  Ｄｉｇｉｔａｌ  Ａｓｓｉｓｔａｎｃｅ）等の携帯情報端末である。
【００３１】
図５の１２は携帯通信モジュール、１３はＬＣＤディスプレイ、１４はメモリ、１５はＣＰＵ、１６は無線モジュール、１７はキーパッド、１８はフラッシュメモリ、１９はスピーカである。
【００３２】
図６は本発明の情報配信回収システムの映像音声表示システムのハードウエア構成を示すブロック図である。
【００３３】
図６の２０はＣＰＵ、２１はホスト‐バスブリッジ、２２はハードディスクドライブ、２３はＤＶＤドライブ、２４はＭＰＥＧデコーダ、２５はシステムメモリ、２６はグラフィックコントローラ、２７はサウンドコントローラ、２８は無線モジュール、２９は映像音声表示装置、３０はネットワークＩＦボードである。
【００３４】
図６の映像音声表示システムのうち破線で囲んでいる部分は、パーソナルコンピュータで実現されている。また２９のディスプレイ装置は、パーソナルコンピュータ用ディスプレイ装置や、テレビジョン受信用のＰＤＰ，ＣＲＴ，液晶モニタで実現されている。
【００３５】
以上のように構成された情報回収配信システムについて以下図１から図６を用いてその動作および実現方法について説明する。
【００３６】
視聴者は映像音声表示システムにおいて、表示されている映像音声コンテンツにさらに情報を欲する内容のものがあった場合にはデータ配信要求を行う。
【００３７】
データ配信要求送信手段２は視聴者に携帯端末に搭載されているＪａｖａ（Ｒ）アプリケーションやＨＴＭＬブラウザの操作画面でユーザＩＦを提供する。
【００３８】
データ配信要求送信手段２は、視聴者のデータ配信要求を受け付けた後、携帯端末と映像音声表示装置の無線回線の確立を行い、無線回線を用いて、データ配信要求を送信する。
【００３９】
図２にデータ配信要求の発信を行うユーザＩＦ画面のイメージ図を示す。
【００４０】
ここで接続が行われる無線回線の通信方式は、ＩＥＥＥ８０２．１１ａ、ＩＥＥＥ８０２．１１ｂ、ＩＥＥＥ８０２．１１ｇ等の無線ＬＡＮや、ＩＥＥＥ１３９４．ａ等のＵＷＢ通信、あるいは近距離無線通信方式であるＢｌｕｅｔｏｏｔｈでも良い。
【００４１】
映像音声表示システムはデータ配信要求受信手段５でデータ配信要求を受信すると、配信データ選択手段６にデータ配信要求を行なう。
【００４２】
一方映像音声コンテンツは、映像音声再生コンテンツ再生管理手段４からの制御により、再生を行なう映像音声コンテンツの選択が行なわれて、映像音声コンテンツ格納手段９から読み出されている。
【００４３】
映像音声コンテンツ格納手段から読み出される。読み出された映像音声再生コンテンツは、映像音声コンテンツ再生手段８で再生可能形式である映像音声信号に変換が行なわれる。
【００４４】
再生されるコンテンツは、ＨＴＭＬで記述されたコンテンツや、パーソナルコンピュータのプレゼンテーションソフトのようなＣＰＵ上で処理実効を行うコンテンツの場合は、コンテンツデータから、映像信号や音声信号をコンピュータ描画やコンピュータ音声再生により、アナログもしくはディジタルの映像信号や、オーディオ信号に変換される。
【００４５】
再生されるコンテンツがＭＰＥＧ１／２／４等の高能率圧縮符号化されたコンテンツの場合は、読み出された信号を映像コンテンツ再生手段８で圧縮伸長処理を行う。
【００４６】
変換が行なわれた信号は、映像音声コンテンツ表示手段１１に入力されて、映像のディスプレイへの表示とスピーカからの音声再生が行なわれる。
【００４７】
現時点でどのコンテンツが再生されているかは、映像音声コンテンツ再生管理手段４から、配信データ選択手段６に映像音声再生コンテンツ選択信号として入力される。
【００４８】
配信データ選択手段６は、データ配信要求受信手段５からのデータ配信要求を受信した時点での再生中の映像音声コンテンツを映像音声再生コンテンツ選択信号から判断し、データ格納手段１０から現在再生中の映像音声コンテンツに関連した該当するデータの読み出しを行なう。
【００４９】
読み出しを行なわれたデータはデータ送信手段７によって、無線回線で、携帯端末のデータ受信手段３へ送信される。
【００５０】
転送を行なわれたデータは、端末使用者の操作によりデータ表示手段１に渡される。
【００５１】
図３に受信データの表示を行うユーザＩＦ画面のイメージ図を示す。
【００５２】
データ表示手段１は、転送されたデータをディスプレイやスピーカに表示可能な形式に信号変換を行うとともに表示を行う。
【００５３】
データ表示手段１における表示可能な形式への変換は、転送されてくるデータが、ＨＴＭＬの等の形式であれば、ＨＴＭＬの字句解析を行う、またＧＩＦＦ等の圧縮静止画形式であれば、圧縮伸長を行う。前記の処理はＪａｖａ（Ｒ）アプリケーションプログラムやＨＴＭＬブラウザ等のソフトウエアを用いて実行することができる。
【００５４】
またデータがＭＰＥＧ４等の圧縮動画、音声信号の場合にも圧縮伸長処理を行う。
【００５５】
前記のような処理を行い、ディスプレイやスピーカに表示される。
【００５６】
図４は実施の形態１の映像音声表示システムの動作を示す、タイムチャートである。
【００５７】
図４に示すとおり、映像音声再生コンテンツＡを再生中にデータ配信要求を受信した場合には、コンテンツＡに関連したデータの配信を行う。同様にコンテンツＢを再生中のデータ配信要求に対してはコンテンツＢの関連したデータを、コンテンツＣを再生中のデータ配信要求に対してはコンテンツＣの関連したデータを、コンテンツＤを再生中のデータ配信要求に対してはコンテンツＤの関連したデータを送信する。
【００５８】
図５を用いて、図１の携帯端末内の各手段のハードウエアでの実現手段について説明する。
【００５９】
図１に示すデータ配信要求送信手段２は、以下のように実現される。
【００６０】
ＣＰＵ１５およびメモリ１４上で動作するソフトウエア処理により、ユーザがキーパッド１７から入力するデータ配信要求を受付、無線モジュール１６を介して無線回線の確立を行った後、データ配信要求を出力する。
【００６１】
無線モジュール１６は、データ配信要求信号を無線信号に変調を行い映像音声表示システムに送出を行う。
【００６２】
図１で示すデータ受信手段３は以下の様に実現される。
【００６３】
無線モジュール１６で映像音声表示システムから送信されるデータを受信復調し、ＣＰＵ１５およびメモリ１４上で動作するソフトウエア処理により受信プロトコル処理を行う。
【００６４】
この処理により送信されたデータを携帯端末で受信することができる。
【００６５】
さらに受信したデータをフラッシュメモリ１８に記録する。
【００６６】
一端メモリに記録されたデータは、ユーザがいつでも読み出したいときに読み出しを行い、ＬＣＤ１３に表示を行うことができる。
【００６７】
図１のデータ表示手段１はＣＰＵ１５およびメモリ上１４で動作するソフトウエア処理とＬＣＤ１３によって実現される。
【００６８】
なお前記ソフトウエア処理は、データ配信要求送信手段２と同様に、Ｊａｖａ（Ｒ）アプリケーションプログラムやＨＴＭＬブラウザ等のソフトウエアを用いることができる。
【００６９】
図６を用いて、映像音声再生システムのハードウエア構成について説明する。
【００７０】
まず図１におけるデータ配信要求受信手段５は、以下の通り実現される。
【００７１】
無線モジュール２８は無線信号で伝送されてくる、データ配信要求信号を受信復調して、ＣＰＵバスに渡す。ＣＰＵ２０、システムメモリ２５、ホスト−バスブリッジ２１、ハードディスクドライブ２２上で動作するソフトウエア処理により、データ配信要求信号の受信プロトコル処理を行う。
【００７２】
図１の映像音声コンテンツ再生手段８は以下の通り実現される。
【００７３】
再生されるコンテンツが、ＨＴＭＬで記述されたコンテンツや、パーソナルコンピュータのプレゼンテーションソフトのようなＣＰＵ上の処理により再生を行うコンテンツの場合は、図６のＣＰＵ２０、システムメモリ２５、ホスト−バスブリッジ２１、ハードディスクドライブ２２およびグラフックコントローラ２６およびサウンドコントローラ２７上で処理を行う。その後映像信号はグラフィックスコントローラ２６から、また音声信号はサウンドコントローラ２７から映像音声表示装置２９に渡される。
【００７４】
また再生されるコンテンツがＭＰＥＧ１／２／４等の高能率圧縮符号化されたコンテンツの場合は、ハードディスクドライブ２２、もしくはＤＶＤドライブ２３から読み出された信号がＭＰＥＧデコーダ２４で圧縮伸長処理が行われる。圧縮伸長処理がおこなわれた映像信号と音声信号は、それぞれグラフィックコントローラ２６とサウンドコントローラ２７を経由して、映像音声表示装置２９に出力される。
【００７５】
なお上記の圧縮伸長処理をＭＰＥＧデコーダ２４でなく、ＣＰＵ２０、システムメモリ２５、ホスト−バスブリッジ２１、ハードディスクドライブ２２およびグラフックコントローラ２６およびサウンドコントローラ２７上での処理で実効してもよい。
【００７６】
そのような場合にはＭＰＥＧデコーダ２４は不要である。
【００７７】
図１の映像音声コンテンツ再生管理手段４は、ＣＰＵ２０、システムメモリ２５、ホスト−バスブリッジ２１、ハードディスクドライブ２２上でのソフトウエア処理で実現される。
【００７８】
図１の映像音声コンテンツ格納手段９はＣＰＵ２０、システムメモリ２５、ホスト−バスブリッジ２１、ハードディスクドライブ２２上でのソフトウエア処理による制御により、ハードディスクドライブ２２もしくはＤＶＤドライブ２３にコンテンツを格納することにより実現される。
【００７９】
図１の映像音声コンテンツ表示手段１は図６のの映像音声表示装置２９で実現される。
【００８０】
図１の配信データ選択手段１０はＣＰＵ２０、システムメモリ２５、ホスト−バスブリッジ２１、ハードディスクドライブ２２上でのソフトウエア処理で実現される。
【００８１】
図１のデータ格納手段１０は、ＣＰＵ２０、システムメモリ２５、ホスト−バスブリッジ２１、ハードディスクドライブ２２上でのソフトウエア処理による制御によりハードディスクドライブ２２もしくはＤＶＤドライブ２３に格納される。
【００８２】
図１のデータ送信手段７はＣＰＵ２０、システムメモリ２５、ホスト−バスブリッジ２１、ハードディスクドライブ２２上でのソフトウエア処理でプロトコル処理が行われた後および無線モジュール２８により変調と送信が実現される。
【００８３】
上記のように本実施の形態によって、携帯端末からのデータ配信要求受信時に配信データ選択手段が、再生コンテンツ選択信号をもとに上映中のコンテンツに関連した配信データを選択し、データ送信手段が携帯端末へ送信することにより、携帯端末に対して上映中の映像音声コンテンツに関連する適切なデータを送信できる。
【００８４】
なお本実施の形態では、図６に於いて映像音声再生システムの破線で囲まれた部分は、パーソナルコンピュータにより実現したが、この部分を、ＣＰＵが搭載された、ハードディスクＡＶレコーダ、ＤＶＤレコーダで実現することもできる。
【００８５】
（実施の形態２）
実施の形態は本発明のうち、請求項２に記載する、情報配信回収システムについて説明する。
【００８６】
本実施の形態では、その機能ブロック図および、携帯端末のハードウエア構成図およおよび映像音声表示システムのハードウエア構成図は実施の形態１と同じく、それぞれ図１および図５および図６である。
【００８７】
また図７は本発明の情報配信回収システムの実施形態２の映像音声表示システムの動作を示すタイムチャートである。
【００８８】
本実施の形態に動作について実施の形態１と異なる点に付いて、図１、図５、図６、および図７を用いて説明する。
【００８９】
データ配信要求手段２からデータ配信要求が配信データ選択手段６へ入力される。
【００９０】
映像音声コンテンツ再生管理手段４から、配信データ選択手段６に現在再生中の映像音声コンテンツを再生コンテンツ選択信号として入力される。
【００９１】
配信データ選択手段６は、データ配信要求受信手段５からのデータ配信要求信号を受信した時点での再生中の映像音声コンテンツの情報から、データ格納手段１０から適切なデータの読み出しを行なう。
【００９２】
このとき配信データ選択手段５は、現在再生中の映像音声コンテンツに関連したデータだけではなく、現在再生中のコンテンツの以前に再生を行った、映像音声再生コンテンツに関連するデータについて読み出しを行う。
【００９３】
読み出しを行なわれたデータはデータ送信手段７によって、無線回線で、携帯端末のデータ受信手段３へ送信される。
【００９４】
図７は本実施の形態の動作を示すタイムチャートである。
【００９５】
図７に示すとおり、映像音声再生コンテンツＢを再生中にデータ配信要求を受信した場合には、コンテンツＡおよびコンテンツＢに関連したデータを送信する。コンテンツＤを再生中のデータ配信要求に対してはコンテンツＣおよびコンテンツＤに関連したデータを送信する。
【００９６】
携帯端末のハードウエア構成は図５で示すものであり、実施の形態１のハードウエア構成と同じものである。
【００９７】
映像音声表示システムのハードウエア構成は図６で示すものであり、実施の形態１のハードウエア構成と同じものである。
【００９８】
このように本実施の形態によれば、情報を入手したいと考えた視聴者が、コンテンツの再生が終了した後に、携帯端末がデータ配信要求を送信した場合にも、必要な配信データを映像音声表示システムから、形態端末に配信できることを可能にする。これにより、視聴者のデータ配信要求が遅れた場合にも関連データを入手できるようにする。
【００９９】
なお本実施の形態では、データ配信要求を受信した時点で再生中のコンテンツとその直前に再生したコンテンツに関係のあるデータの配信を行っているが、この動作ではなく現在再生中のコンテンツとその前に再生した２つ以上の複数のコンテンツに関係のあるデータの送信を行っても良い。
【０１００】
（実施の形態３）
本実施の形態は本発明のうち、請求項３に記載する、情報回収配信システムについて説明する。
【０１０１】
図８は本発明の情報配信回収システムの実施形態３の機能ブロック図である。
【０１０２】
図８の１はデータ表示手段、２はデータ配信要求送信手段、３はデータ受信手段であり、前記の各手段は携帯端末が具備する。前記各手段は実施の形態１のものと同じものである。４０はＨＴＴＰ送受信手段である。
【０１０３】
また図８の４は映像音声コンテンツ再生管理手段、５はデータ配信要求受信手段、６は配信データ選択手段、７はデータ送信手段、８は映像音声コンテンツ再生手段、９は映像音声コンテンツ格納手段、１０はデータ格納手段、１１は映像音声コンテンツ表示手段でありこれらの手段は、映像音声表示システムに具備される。前記各手段は実施の形態１と同じ物である。
【０１０４】
携帯端末のハードウエア構成図およおよび映像音声表示システムのハードウエア構成図は実施の形態１と同じく、図５と図６である。
【０１０５】
実施の形態３の動作と構成について、図８、図５、および図６を用いて説明する。
【０１０６】
動作については実施の形態１と異なる点に付いて説明する。
【０１０７】
データ格納手段１０に格納されたデータには、再生中の映像音声再生コンテンツに関連したデータ中に関連したＷＷＷサイトのＵＲＬが記述されている。
【０１０８】
映像音声表示システム中のデータ送信手段は前記ＷＷＷサイトのＵＲＬを含んだ関連データをデータ送信手段７が携帯端末中のデータ受信手段３に送出する。
【０１０９】
データ受信手段３はＵＲＬが格納されたデータを受信し、保持する。
【０１１０】
一方使用者の操作により、ＨＴＴＰ送受信手段４０は、データ受信手段３から、下記ＵＲＬデータの取得を行なう。
【０１１１】
取得を行なった、ＵＲＬに対してＨＴＴＰ送受信手段４０から、インターネットへの接続を行なう。
【０１１２】
ここでインターネット接続手段は、インターネットへの接続を、携帯電話の電話通信モジュールを用いて行なう。
【０１１３】
ここで携帯電話の通信方式は、ＧＳＭ方式、ＧＰＲＳ方式、ＰＤＣ方式、Ｗ−ＣＤＭＡ方式、ＣＤＭＡ方式、ＣＤＭＡ２０００方式いずれの方式でも構わない。またＰＨＳ方式でも良い。
【０１１４】
ＨＴＴＰ接続手段は、上記の機能により、所定のＵＲＬに接続を行なうことにより、接続先のＨＴＴＰサーバから、所望のＨＴＭＬを取得する。
【０１１５】
取得したＨＴＭＬは、ＨＴＴＰ送受信手段で構文解析および、映像データへの変換を行なう。映像データへ変更が行なわれた信号はデータ受信手段１に表示が行なわれる。
【０１１６】
図５を用いて、図８の携帯端末内の各手段のハードウエアでの実現手段について説明する。
【０１１７】
図８中のデータ表示手段１及び、データ配信要求送信手段２、データ受信手段３の各実現手段は実施の形態１のものと同じである。
【０１１８】
ＨＴＴＰ送受信手段４０は、以下の通り実現される。
【０１１９】
図５の携帯通信モジュール１２で、携帯電話の基地局から送信されるデータを受信復調する、また携帯電話自身から送出するデータの変調も携帯通信モジュール１２で行なう。
【０１２０】
またＣＰＵおよびメモリ上で動作するソフトウエア処理により、送信および受信のプロトコル処理を行う。
【０１２１】
この処理により受信処理されたデータを携帯端末で再現を行う。
【０１２２】
なお前記ソフトウエア処理は、ＨＴＭＬブラウザ等のソフトウエアを用いることができる。
【０１２３】
上記の通り、本実施の形態では配信データを受信した視聴者が、データに含まれるＵＲＬのＷＷＷサイトに、携帯端末のＷＷＷブラウズ機能を用いてアクセスすることにより、より詳細で、最新の情報を閲覧できることを可能にするという効果を有する。
【０１２４】
（実施の形態４）
本実施の形態は本発明のうち、請求項４および請求項５に記載する、映像音声表示システム、携帯端末、情報回収配信システムについて説明する。
【０１２５】
図９は本発明の情報配信回収システムの実施形態４の機能ブロック図である。
【０１２６】
図９の１はデータ表示手段、２はデータ配信送信手段、３はデータ受信手段であり、前記の各手段は携帯端末が具備し、これらは実施の形態１の各手段と同じものである。本実施の形態ではさらに個人データ送信手段４５が具備されている。
【０１２７】
また図９の４は映像音声コンテンツ再生管理手段、５はデータ配信要求受信手段、７はデータ送信手段、８は映像音声コンテンツ再生手段、９は映像音声コンテンツ格納手段、１０はデータ格納手段、１１は映像音声コンテンツ表示手段であり、これらの手段は、映像音声表示システムに具備しこれらは実施の形態１の各手段と同じものである。６は配信データ選択手段である。
【０１２８】
さらに本実施例では、個人データ受信手段４６、リクエストデータ生成手段４７、リクエストデータ格納手段４８およびリクエストデータ送受信手段４９を映像音声表示システムに具備する。
【０１２９】
図１０は本発明の情報配信回収システムの実施形態４のリクエストデータの構成図である。
【０１３０】
携帯端末端末および映像音声表示システムのハードウエア構成は図５および図６の第１の実施の形態と同様のものになる。
【０１３１】
以上のように構成された映像音声表示システム、携帯端末、情報回収配信システムについて以下図９、図１０  、図５および図６を用いてその動作について説明する。
【０１３２】
図９のデータ表示手段１、データ配信要求送信手段２、データ受信手段３の各手段は実施の形態１の各手段と同様の動作を行う。
【０１３３】
また図９の映像音声コンテンツ再生管理手段４、データ配信要求受信手段５、データ送信手段７、映像音声コンテンツ再生手段８、映像音声コンテンツ格納手段９、データ格納手段１０、映像音声コンテンツ表示手段１１は図１の各手段と同様の動作を行う。
【０１３４】
個人データ送信手段４５は、データ配信要求送信手段２がデータ配信要求を行うと前後して個人データを送信する。送信を行なう個人データとしては、たとえば個人の名前、住所、年令、性別、職業、ｅメールアドレス、電話番号等が考えられる。
【０１３５】
個人データ受信手段４６は、受信を行なった個人データをリクエストデータ生成手段４７に渡す。
【０１３６】
配信データ選択手段６はデータ配信要求受信手段からのデータ配信要求信号を元に、データ格納手段１０から、配信を行なうデータの選択を行なうと同時に、リクエストデータ生成手段４７に、どの映像音声コンテンツ再生中にデータ配信要求があったかを伝える。
【０１３７】
リクエストデータ生成手段は、どの映像音声コンテンツに対して要求があったかの情報を個人データと組み合わせてリクエストデータを生成する。
【０１３８】
リクエストデータの構成を図１０に示す。
【０１３９】
図１０に示す通り各映像音声再生コンテンツと、それぞれの映像音声再生コンテンツに関連付けられた各個人データが結びつけられている。
【０１４０】
生成されたリクエストデータは、リクエストデータ格納手段４８に格納される。
【０１４１】
リクエストデータ格納手段４８は、リクエストデータ送信手段４９を介してネットワークに接続されている。
【０１４２】
同じくネットワークに接続されている、本実施例の情報配信回収システムを制御するセンター設備から、リクエストデータ格納手段４８からのデータ読み出しを行うことができる。このことによりセンター設備では、最新のデータの読み出しを行うことができる。
【０１４３】
携帯端末端末および映像音声表示システムのハードウエア構成は図５および図６の第１の実施の形態と同様のものになる。図５の携帯端末の１はデータ表示手段、２はデータ配信送信手段、３はデータ受信手段は実施の形態１と同じハードウエア構成をとる。
【０１４４】
個人データ送信手段は、図５の携帯端末の構成において、ＣＰＵ１５およびメモリ１４上で動作するソフトウエア処理により、フラッシュメモリ１８にあらかじめ格納されている個人データを、無線モジュール１６を介して無線回線の確立を行った後、送出を行なう。
【０１４５】
図６の映像音声再生システムでは、映像音声コンテンツ再生管理手段４、データ配信要求受信手段５、配信データ選択手段６、データ送信手段７、映像音声コンテンツ再生手段８、映像音声コンテンツ格納手段９、データ格納手段１０、映像音声コンテンツ表示手段１１は実施の形態１と同じハードウエア構成をとる。
【０１４６】
個人データ受信手段４６は、図６の映像音声再生システムで以下の通り実現される。
【０１４７】
無線モジュール２８は無線信号で伝送されてくる、データ配信要求信号を受信復調して、ＣＰＵバスに渡す。ＣＰＵ２０、システムメモリ２５、ホスト−バスブリッジ２１、ハードディスクドライブ２２上で動作するソフトウエア処理により、信号の受信プロトコル処理を行う。
【０１４８】
リクエストデータ生成手段４７は、ＣＰＵ２０、システムメモリ２５、ホスト−バスブリッジ２１、ハードディスクドライブ２２上で動作するソフトウエア処理により実行される。
【０１４９】
リクエストデータ格納手段４８は、ＣＰＵ２０、システムメモリ２５、ホスト−バスブリッジ２１、ハードディスクドライブ２２上で動作するソフトウエア処理により実行され、リクエストデータは、ハードディスクドライブ２２に格納される。
【０１５０】
リクエストデータ送受信手段４９はＣＰＵ２０、システムメモリ２５、ホスト−バスブリッジ２１、ハードディスクドライブ２２上で動作するソフトウエア処理と、ネットワークＩＦボード３０上で実行される。
【０１５１】
上記のように本実施の形態では、携帯端末から個人データを個人データ送信手段から映像音声表示システムの個人データ受信手段に対して送信し、その情報を用い、上映したコンテンツに興味を持つ視聴者に関するリクエストデータを生成することができるという効果を有する。
【０１５２】
さらにリクエストデータをリクエストデータ送信手段から、センター装置へ送信することにより、情報回収配信システム運用者は遠隔地からで、最新のリクエストデータを入手できるという効果を有する。
【０１５３】
（実施の形態５）
本実施の形態は本発明のうち、請求項６に記載する、情報回収配信システムについて説明する。
【０１５４】
図１１は本発明の情報配信回収システムの実施形態５の機能ブロック図ある。
【０１５５】
また図５は本発明の携帯端末のハードウエア構成を示すものである。また図６は本発明の映像音声再生装置のハードウエア構成を示すものである。
【０１５６】
図１２の１はデータ表示手段、２はデータ配信要求送信手段、３はデータ受信手段であり、前記の各手段は携帯端末が具備しこれらは実施の形態１の各手段と同じものである。
【０１５７】
また図１２の６は配信データ選択手段、７はデータ送信手段、８は映像音声コンテンツ再生手段、９は映像音声コンテンツ格納手段、１０はデータ格納手段、１１は映像音声コンテンツ表示手段でありこれらは実施の形態１の各手段と同じものである。
【０１５８】
また４は映像音声コンテンツ再生管理手段である、５はデータ配信要求受信手段である。
【０１５９】
図１２は映像音声コンテンツ再生管理手段４のデータ配信要求処理機能の動作を示すフローチャートである。
【０１６０】
図１３は映像音声コンテンツ再生管理手段４のコンテンツ再生管理機能の動作を示すフローチャートである。
【０１６１】
図１４は本発明の情報配信回収システムの実施形態５の映像音声再生管理手段４が保持するデータ配信要求回数カウントテーブルである。
【０１６２】
図１５は本発明の情報配信回収システムの実施形態５の映像音声再生管理手段４が保持するプレイリストファイルである。
【０１６３】
以上のように構成された映像音声表示システム、携帯端末、情報回収配信システムについて以下図１１、図１２、図１３、図１４、図１５、図５及び図６を用いてその動作および構成について説明する。
【０１６４】
図１１のデータ表示手段１、データ配信要求送信手段２、データ受信手段３の各手段は実施の形態１、図１の各手段と同様の動作を行う。
【０１６５】
また図１１のデータ配信要求受信手段６、データ送信手段７、映像音声コンテンツ再生手段８、映像音声コンテンツ格納手段９、データ格納手段１０、映像音声コンテンツ表示手段１１は図１、実施の形態１の各手段と同様の動作を行う。
【０１６６】
データ配信要求受信手段５では、受信したデータ配信要求を配信データ選択手段６に渡すと同時に映像音声コンテンツ再生管理手段４に渡す。
【０１６７】
映像音声コンテンツ再生管理手段４は、リクエストの回数を管理し、コンテンツ再生の管理を行う。
【０１６８】
本実施の形態の映像音声再生コンテンツ再生管理手段８はデータ配信要求処理機能とコンテンツ再生管理機能をもつ。
【０１６９】
図１２は本発明の情報配信回収システムの実施形態５の映像音声再生管理手段４のデータ配信要求処理機能の動作を示すフローチャートである。
【０１７０】
図１２に示す通り、データ配信要求を受け付けると、映像音声再生コンテンツ再生管理手段８はデータ配信要求回数カウントテーブルの書き換えを行う。
【０１７１】
データ配信要求回数カウントテーブルを図１４に示す。図１４に示すとおり、配信要求の回数をカウントテーブルに書き込みを行う。
【０１７２】
図１３は本発明の情報配信回収システムの実施形態５の映像音声再生管理手段４のコンテンツ再生管理機能の動作を示すフローチャートある。
【０１７３】
コンテンツ再生管理機能は、映像音声コンテンツの再生開始前にプレイリストファイルに確認を行い、再生を行うコンテンツの選択を行う。
【０１７４】
一方プレイリストファイルは図１５の通りになっている。プレイリストファイルは、再生を行う映像音声コンテンツの再生順序が記載されている。
【０１７５】
このうち再生順序▲６▼では１番目にデータ配信要求回数多いコンテンツの再生を行う。再生順序▲７▼では２番目にデータ配信要求回数多いコンテンツの再生を行う、再生順序▲８▼では３番目にデータ配信要求回数多いコンテンツの再生を行う。再生順序▲９▼番目では再度１番目にデータ配信要求回数多いコンテンツの再生を行う。
【０１７６】
以上のプレイリストの記述によりデータ配信要求回数の多い映像音声再生コンテンツの再生回数を多くするように制御することが出来る。
【０１７７】
また配信データ選択手段６へは、データ配信要求を受けた時点で、再生中の映像音声再生コンテンツ選択信号を渡す。この動作は動作実施の形態１と同様である。
【０１７８】
携帯端末および映像音声表示システムのハードウエア構成は図５および図６の第１の実施の形態と同様のものになる。
【０１７９】
図５の携帯端末の１はデータ表示手段、２はデータ配信送信手段、３はデータ受信手段は実施の形態１と同じハードウエア構成をとる。
【０１８０】
図６の映像音声再生システムでは、
データ配信要求受信手段５、データ送信手段７、映像音声コンテンツ再生手段８、映像音声コンテンツ格納手段９、データ格納手段１０、映像音声コンテンツ表示手段１１は実施の形態１と同じハードウエア構成をとる。
【０１８１】
映像音声コンテンツ再生管理手段４はＣＰＵ２０、システムメモリ２５、ホスト−バスブリッジ２１、ハードディスクドライブ２２上で動作するソフトウエア処理により実行される。
【０１８２】
上記のように本実施の形態において、映像音声再生コンテンツ管理手段が、リクエスト回数の多い映像音声コンテンツをより多く再生することにより、人気の高い映像音声コンテンツを数多く再生することができるようになり、より販売促進に効果的な、映像音声コンテンツの再生を行なうことができるという効果を有する。
【０１８３】
【発明の効果】
上記の通り本発明の情報配信回収システムは、街頭や店頭等で商品コマーシャル等販売促進のビデオを上映する映像音声表示システムから視聴者の持つ携帯電話等の携帯端末を用いて、即時に上映中の映像音声信号に関する追加情報を入手し記録できるようにできるようにし商品の販売促進を実現する。
【図面の簡単な説明】
【図１】本発明の情報配信回収システムの実施形態１の機能ブロック図
【図２】本発明の情報配信回収システムの実施形態１における、データ配信要求を行なう携帯端末ユーザＩＦ画面のイメージ図
【図３】本発明の情報配信回収システムの実施形態１における、受信データの表示を行なう携帯端末ユーザＩＦ画面のイメージ図
【図４】本発明の情報配信回収システムの実施形態１の映像音声表示システムの動作を示すタイムチャート
【図５】本発明の情報配信回収システムの携帯端末のハードウエア構成を示すブロック図
【図６】本発明の情報配信回収システムの映像音声表示システムのハードウエア構成を示すブロック図
【図７】本発明の情報配信回収システムの実施形態２の映像音声表示システムの動作を示すタイムチャート
【図８】本発明の情報配信回収システムの実施形態３の機能ブロック図
【図９】本発明の情報配信回収システムの実施形態４の機能ブロック図
【図１０】本発明の情報配信回収システムの実施形態４におけるリクエストデータの構成図
【図１１】本発明の情報配信回収システムの実施形態５の機能ブロック図
【図１２】本発明の情報配信回収システムの実施形態５の映像音声再生管理手段４のデータ配信要求処理機能の動作を示すフローチャート
【図１３】本発明の情報配信回収システムの実施形態５の映像音声再生管理手段４のコンテンツ再生管理機能の動作を示すフローチャート
【図１４】本発明の情報配信回収システムの実施形態５の映像音声再生管理手段４が保持するデータ配信要求回数カウントテーブルを示す図
【図１５】本発明の情報配信回収システムの実施形態５の映像音声再生管理手段４が保持するプレイリストファイルを示す図
【図１６】従来の映像音声表示システムの機能ブロック図
【符号の説明】
１  データ表示手段
２  データ配信要求送信手段
３  データ受信手段
４  映像音声コンテンツ再生手段
５  データ配信要求受信手段
６  配信データ選択手段
７  データ送信手段
８  映像音声コンテンツ再生手段
９  映像音声コンテンツ格納手段
１０  データ格納手段
１１  映像音声コンテンツ表示手段
１２  携帯通信モジュール
１３  ＬＣＤディスプレイ
１４  メモリ
１５  ＣＰＵ
１６  無線モジュール
１７  キーパッド
１８  フラッシュメモリ
１９  スピーカ
２０  ＣＰＵ
２１  ホスト‐バスブリッジ
２２  ハードディスクドライブ
２３  ＤＶＤドライブ
２４  ＭＰＥＧデコーダ
２５  システムメモリ
２６  グラフィックコントローラ
２７  サウンドコントローラ
２８  無線モジュール
２９  映像音声表示装置
３０  ネットワークＩＦボード
４０  ＨＴＴＰ送受信手段
４５  個人データ送信手段
４６  個人データ受信手段
４７  リクエストデータ生成手段
４８  リクエストデータ格納手段
４９  リクエストデータ格納手段
１０１  センター設備
１０２  映像音声コンテンツ受信手段
１０３  映像音声コンテンツ格納手段
１０４  映像音声コンテンツ再生手段
１０５  映像音声コンテンツ表示手段
【図１】
2004328109.tif 000003
【図２】
2004328109.tif 000004
【図３】
2004328109.tif 000005
【図４】
2004328109.tif 000006
【図５】
2004328109.tif 000007
【図６】
2004328109.tif 000008
【図７】
2004328109.tif 000009
【図８】
2004328109.tif 000010
【図９】
2004328109.tif 000011
【図１０】
2004328109.tif 000012
【図１１】
2004328109.tif 000013
【図１２】
2004328109.tif 000014
【図１３】
2004328109.tif 000015
【図１４】
2004328109.tif 000016
【図１５】
2004328109.tif 000017
【図１６】
2004328109.tif 000018